(57)【要約】      （修正有）【課題】フローティング接続用のフローティングコネクターを提供する。【解決手段】フローティングコネクター１０は、筐体１２と、複数の電極１４と、２つの留め具１６及びフローティング部材１８を備える。筐体に収容空間及び複数の開口１２２が形成される。複数の電極が収容空間に設けられる。電極は開口を貫通して突出する。留め具がそれぞれ電極の両側に設けられる。留め具は、固定部１６２と、弾性部及び接触部を含む。弾性部が固定部と接触部に接続される。固定部が収容空間に設けられる。接触部は、凹溝及びガイド構造を含む。フローティング部材は、本体と、複数の電極溝１８４及び突起１８６を含む。突起は凹溝に対応して設けられる。なお、一方側とは、電極が突出された開口に対応する側を指す。突起の幅は凹溝の幅以下である。電極を複数の電極溝に挿入した時に、突起はガイド構造を介して凹溝に制限される。【選択図】図１
0003228255.tif 000002
【実用新案登録請求の範囲】
【請求項１】
収容空間及び複数の開口が形成された筐体と、
前記収容空間に設けられ、前記複数の開口を貫通して突出した複数の電極と、
前記複数の電極の両側にそれぞれ設けられ、前記収容空間に設けられた固定部と、前記固定部と接触部に接続され、前記筐体の外表面に隣接した弾性部と、凹溝及びガイド構造を有する前記接触部とを含む２つの留め具と、
前記複数の電極と前記留め具を接合し、本体と、複数の電極溝及び突起を有するフローティング部材と、
を備え、
前記複数の電極溝が前記本体の一方側に形成され、前記突起が前記本体に形成され、前記突起は前記凹溝に対応して設けられ、
前記一方側は、前記複数の電極が突出された前記複数の開口に対応する側であり、前記突起の幅は前記凹溝の幅以下であり、
前記複数の電極が前記複数の電極溝に挿入され、前記突起は前記ガイド構造によって前記凹溝に制限されることを特徴とするフローティングコネクター。
【請求項２】
前記筐体は位置合わせブロックを有し、
前記フローティング部材は位置合わせ溝を更に有し、
前記位置合わせブロックは前記位置合わせ溝に対応して設けられ、
前記位置合わせブロックを前記位置合わせ溝に挿入することで、前記複数の電極が前記複数の電極溝に対応され、前記突起が前記凹溝にロックされることを特徴とする請求項１に記載のフローティングコネクター。
【請求項３】
前記位置合わせ溝にガイド斜面が形成され、前記位置合わせブロックは前記ガイド斜面よって前記位置合わせ溝に制限されることを特徴とする請求項２に記載のフローティングコネクター。
【請求項４】
前記位置合わせ溝の幅は前記位置合わせブロックの幅以上であり、
前記位置合わせ溝の長さは前記位置合わせブロックの長さ以上であることを特徴とする請求項２に記載のフローティングコネクター。
【請求項５】
前記凹溝とガイド構造を前記位置合わせ溝に挿入することで、前記凹溝は前記位置合わせ溝が形成した前記突起によりストップされることを特徴とする請求項２に記載のフローティングコネクター。
【請求項６】
弾性部は外力により変形されて、前記凹溝を前記突起から外すことを特徴とする請求項５に記載のフローティングコネクター。
【請求項７】
前記突起にガイド斜面が形成され、前記接触部は前記ガイド斜面を介して前記ガイド構造に作用して前記弾性部を変形し、前記突起が前記凹溝にロックされることを特徴とする請求項１に記載のフローティングコネクター。
【請求項８】
前記ガイド構造はＲ面取りを有することを特徴とする請求項１に記載のフローティングコネクター。
【請求項９】
前記ガイド構造は前記筐体の外に露出するパドルを含み、
前記パドルは外力によって前記弾性部を変形し、前記凹溝に制限された前記突起の状態を変更することを特徴とする請求項１に記載のフローティングコネクター。
【請求項１０】
前記ガイド構造はＲ面取りを有することを特徴とする請求項９に記載のフローティングコネクター。
【考案の詳細な説明】
【技術分野】
【０００１】
本考案は、コネクタの技術分野に関わり、特にフローティング接続用のフローティングコネクターに関するものである。
【背景技術】
【０００２】
従来、コネクタはオスプラグを介してメスソケットと電気的に接続される。
【０００３】
接続の過程では、接続を如何に位置合わせるか、組み立ての速度を如何に向上するか、組み立ての破損率を如何に低減するか、接続後に外れやすいかなどの問題が必ず発生する。
【考案の概要】
【考案が解決しようとする課題】
【０００４】
従来技術の欠陥を解決するために、本考案はフローティングコネクターを提供する。
【課題を解決するための手段】
【０００５】
本考案の第一の目的は、フローティング組み立てを達成するために、筐体と、電極と、留め具及びフローティング部材を備えるフローティングコネクターを提供する。
【０００６】
本考案の第二の目的は、上記のフローティングコネクターにより、接続及び分離を達成するために、留め具がフローティング部材に接続される。
【０００７】
本考案の第三の目的は、上記のフローティングコネクターにより、位置合わせブロックを位置合わせ溝に挿入することで、電極が電極溝に対応され及び突起が凹溝にロックされることを達成するために、筐体は位置合わせブロックを有し、フローティング部材は位置合わせ溝を有する。
【０００８】
本考案の第四の目的は、上記のフローティングコネクターにより、位置合わせ溝にガイド斜面が形成され、位置合わせブロックはガイド斜面を介して位置合わせ溝に制限される。
【０００９】
本考案の第五の目的は、上記のフローティングコネクターにより、凹溝とガイド構造を位置合わせ溝に挿入することで、凹溝は位置合わせ溝が形成した突起によりストップされる。
【００１０】
本考案の第六の目的は、上記のフローティングコネクターにより、留め具がフローティング部材から外れることを達成するために、弾性部が外力により変形されて、凹溝を突起のストップから外す。
【００１１】
本考案の第七の目的は、上記のフローティングコネクターにより、突起が凹溝にロックされることを達成するために、突起にガイド斜面が形成され、接触部はガイド斜面を介してガイド構造に作用して弾性部を変形する。
【００１２】
本考案の第八の目的は、上記のフローティングコネクターにより、ガイド構造は、筐体の外に露出するパドルを含み、パドルは外力によって弾性部を変形して、凹溝に制限された突起の状態を変更する。
【００１３】
本考案の第九の目的は、上記のフローティングコネクターにより、凹溝は突起をスムーズにロックするために、前記ガイド構造はＲ面取り（又は、円弧と呼ぶ）を有する。
【００１４】
以上の目的及び他の目的を達成するために、本考案は、筐体と、複数の電極と、２つの留め具及びフローティング部材を備えるフローティングコネクターを提供する。筐体に収容空間及び複数の開口が形成される。前記複数の電極が収容空間に設けられる。電極は開口を貫通して突出する。留め具がそれぞれ電極の両側に設けられる。留め具は、固定部と、弾性部及び接触部を含む。弾性部が固定部と接触部に接続される。固定部が収容空間に設けられる。弾性部は筐体の外表面に隣接する。接触部は、凹溝及びガイド構造を含む。フローティング部材は電極と留め具を接合することができる。フローティング部材は、本体と、複数の電極溝及び突起を含む。電極溝が本体の一方側に形成される。突起が本体に形成される。突起は凹溝に対応して設けられる。なお、前記一方側とは、電極が突出された開口に対応する側を指す。突起の幅は凹溝の幅以下である。電極を複数の電極溝に挿入した時に、突起はガイド構造を介して凹溝に制限される。
【００１５】
従来の技術と比較して、本考案のフローティングコネクターは留め具及びフローティング部材を有するので、組み立て者は、許容の範囲で電極と電極溝に設けられた別の電極とを電気的に接続することができる。実施例において、留め具をフローティング部材にしっかりとロックすることができる。別の実施例において、留め具をフローティング部材にロックすることができるに加えて、ロックを解除して、留め具をフローティング部材から分離させ、複数回の接続を行うことができる。
【図面の簡単な説明】
【００１６】
【図１】図１は本考案の第１の実施例にかかるフローティングコネクターの斜視図である。
【図２】図２は本考案の図１にかかる筐体、電極及び留め具を説明する斜視図である。
【図３】図３は本考案の図１にかかる電極及び留め具の構造を説明する図である。
【図４】図４は本考案の図１にかかる留め具を説明する側面図である。
【図５】図５は本考案の図１にかかるフローティング部材の構造を説明する図である。
【図６】図６は本考案の図１にかかるフローティングコネクターの接続を説明する図である。
【図７】図７は本考案の第２の実施例にかかるフローティングコネクターの斜視図である。
【図８】図８は本考案の図７にかかるフローティングコネクターの電極及び留め具を説明する斜視図である。
【図９】図９は本考案の図８にかかる凹溝及び突起の構造を説明する図である。
【図１０】図１０は本考案の第３の実施例にかかるフローティングコネクターの斜視図である。
【図１１】図１１は本考案の図１０にかかる留め具を説明する側面図である。
【図１２】図１２は本考案の図１０にかかる留め具とフローティング部材との接合を説明する図である。
【考案を実施するための形態】
【００１７】
本考案の目的、特徴及び効果を十分に理解するために、後述の実施例及び図面に基づいて、本考案を説明する。
【００１８】
本考案において、「１つ」を使用して本明細書に記載されるユニット、デバイスを説明する。特に指摘しない限り、このような説明は、１つ、少なくとも１つを含むと理解され、かつ単数も同時に複数を含む。
【００１９】
本考案において、「含む」、「備える」、「有する」の用語又は他の類似用語は、非排他的なものをカバーすることを意図している。例えば、複数の要素を含むデバイス、構造、製品又は装置は、本明細書に記載された要素だけに限定されず。
【００２０】
図１を参照し、図１は本考案の第１の実施例にかかるフローティングコネクターの斜視図である。図１において、フローティングコネクター１０は外部端子２と接続でき、外部端子２は別のコネクター又はプリント回路基板などからのものであってもよい。
【００２１】
フローティングコネクター１０は、筐体１２、複数の電極１４と、留め具１６及びフローティング部材１８を備える。
【００２２】
筐体１２、複数の電極１４及び留め具１６の部分は図２を参照してもよい、図２は本考案の図１にかかる筐体、電極及び留め具を説明する斜視図である。
【００２３】
筐体１２に収容空間ＳＰ及び複数の開口１２２が形成される。ここで、開口１２２の数は、主に電極１４及び留め具１６に応じて設置される。本実施例では、電極１４の数は５つ、留め具１６の数は２つを例に説明し、別の実施例において、当該数が制限されなくてもよい。図３を併せて参照し、図３は本考案の図１にかかる電極及び留め具の構造を説明する図である。
【００２４】
図１に戻し、電極１４が収容空間ＳＰに設けられる。電極１４は開口１２２を貫通して突出し、突出の目的は、電力又はデジタル信号を送受信するために、別の電極を溶接又は接触する。
【００２５】
留め具１６がそれぞれ電極１４の両側に設けられる。なお、留め具１６は、固定部１６２と、弾性部１６４及び接触部１６６を含む。図４を併せて参照し、図４は本考案の図１にかかる留め具を説明する側面図であり、図４の上図はその一面の側面図であり、下図は対応面の側面図である。
【００２６】
固定部１６２が収容空間ＳＰに設けられる。別の実施例では、固定部１６２を回路基板にはんだ付けてもよい。
【００２７】
弾性部１６４は固定部１６２及び接触部１６６に接続され、本実施例では、弾性部１６４とは、筐体１２に露出される一部を指す。弾性部１６４は固定部１６２から延びた時にＵ字状などの１つの角度を折り曲げ、弾性部１６４の一端が固定部１６２に接続されて外力を受けた時に弾性力を有し、また、本実施例において、弾性部１６４は筐体１２の外表面に隣接する。
【００２８】
接触部１６６は弾性部１６４から更に延び、即ち、留め具１６の前端である。接触部１６６は、凹溝１６６２及びガイド構造１６６４を更に含む。
【００２９】
図５を併せて参照し、図５は本考案の図１にかかるフローティング部材の構造を説明する図である。フローティング部材１８は電極１４と留め具１６を接合し、フローティング部材１８は別のコネクターに設けられてもよい、例えば、雌型コネクタである。フローティング部材１８は、本体１８２と、複数の電極溝１８４及び突起１８６を含む。電極溝１８４の数は電極１４の数に対応して設置される。電極溝１８４が本体１８２の一方側に形成される。本実施例において、突起１８６が本体１８２の両側に形成され、突起１８６は凹溝１６６２に対応して設置される。また、ここでは、突起１８６の幅は凹溝１６６２の幅以下であるため、突起１８６が当該凹溝１６６２に設けられてもよい。例をとして、突起１８６の幅は凹溝１６６２の幅より小さい場合、フローティング接続をより実現することができる。従って、電極１４を電極溝１８４に挿入した時に、突起１８６はガイド構造１６６４を介して凹溝１６６２に制限される。
【００３０】
実施例において、ガイド構造１６６４は、突起１８６が形成するガイド斜面１８６２と配合するＲ面取りを有し、接触部１６６はガイド斜面１８６２を介してガイド構造１６６４に作用して弾性部１６４を変形し、つまり、弾性部１６４は、ガイド構造１６６４がガイド斜面１８６２に作用することで筐体１２から離れ、この結果、凹溝１６６２は突起１８６をロックする。
【００３１】
図５において、フローティング部材１８は、図１の位置合わせブロック１２４に対応するための位置合わせ溝１８８を有する。位置合わせブロック１２４は位置合わせ溝１８８に対応して設置され、位置合わせブロック１２４を位置合わせ溝１８８に挿入することで、電極１４は電極溝１８４に対応し、突起１８６は凹溝１６６２にロックされる。図６を併せて参照し、図６は本考案の図１にかかるフローティングコネクターの接続を説明する図である。図６の上図において、筐体１２、複数の電極１４及び留め具１６は１つの角度でフローティング部材１８に接続し、特に位置合わせブロック１２４を介して位置合わせ溝１８８と位置合わせることができる。図６の下図において、筐体１２、複数の電極１４及び留め具１６は９０度でフローティング部材１８に接続し、この過程では、位置合わせブロック１２４を介して位置合わせ溝１８８と位置合わせてもよい。また、位置合わせ溝１８８の幅は位置合わせブロック１２４の幅以上であり、且つ、位置合わせ溝１８８の長さは位置合わせブロック１２４の長さ以上であるため、位置合わせ溝１８８は位置合わせブロック１２４に対して左右方向又は前後方向（又は深さと呼ぶ）でフローティング接続を行う。
【００３２】
また、位置合わせ溝１８８にガイド斜面１８８２が形成されてもよい、位置合わせブロック１２４はガイド斜面１８８２を介して位置合わせ溝１８８に制限される。
【００３３】
図７と図８を参照する。図７は本考案の第２の実施例にかかるフローティングコネクターの斜視図であり、図８は本考案の図７にかかるフローティングコネクターの電極及び留め具を説明する斜視図である。図７において、フローティングコネクター１０’は同様に、第１の実施例にかかる筐体１２および電極１４を備えるが、留め具１６’及びフローティング部材１８’については異なる。
【００３４】
筐体１２および電極１４の説明は前記のように、ここでは説明しない。
【００３５】
留め具１６’と前記留め具１６との異なりは、接触部１６６’の設計であり、フローティング部材１８’と前記フローティング部材１８との異なりは、位置合わせ溝１８８’の設計である。
【００３６】
ここでは、接触部１６６’が位置合わせ溝１８８’に挿入されるので、接触部１６６’の凹溝１６６２は位置合わせ溝１８８’の突起１８６’によりストップされ、留め具１６’がフローティング部材１８’に固定される。別の実施例では、弾性部１６４は外力Ｆにより変形すると、例えば、図８に矢印で示す外力Ｆを加える方向では、突起１８６’にストップされた凹溝１６６２をストップの状態から外すことができる。図９を併せて参照し、図９は本考案の図８にかかる凹溝及び突起の構造を説明する図である。図９において、留め具１６’から位置合わせ溝１８８’に向かう視点を提供して、凹溝及び突起の構造を見る。
【００３７】
図１０、１１及び１２を参照する。図１０は本考案の第３の実施例にかかるフローティングコネクターの斜視図であり、図１１は本考案の図１０にかかる留め具を説明する側面図であり、図１２は本考案の図１０にかかる留め具とフローティング部材との接合を説明する図である。図１０において、フローティングコネクター１０’’は同様に、第１の実施例にかかる筐体１２と、電極１４及びフローティング部材１８を備えるが、留め具１６’’については異なる。
【００３８】
筐体１２、電極１４及びフローティング部材１８の説明は前記のように、ここでは説明しない。
【００３９】
図１１を参照し、留め具１６’’も第１の実施例にかかる固定部１６２と、弾性部１６４及び接触部１６６を含み、その異なりは留め具１６’’がパドル１６８を更に含む。
【００４０】
本実施例において、パドル１６８は接触部１６６から延び、特にガイド構造１６６４から延びる。パドル１６８は、筐体１２の外に露出し、且つ外力Ｆ（力を加える方向は矢印のように）によって弾性部１６４を変形して、凹溝１６６２に制限された突起１８６の状態を変更する。
【００４１】
本考案の実施例を説明したが、実施例は、例として提示したものであり、考案の範囲を限定することは意図していない。実施例は、その他の様々な形態で実施されることが可能であり、考案の要旨を逸脱しない範囲で、種々の省略、置き換え、変更を行うことができる。実施例やその変形は、考案の範囲や要旨に含まれると同様に、特許請求の範囲に記載された考案とその均等の範囲に含まれるものである。
【符号の説明】
【００４２】
２…外部端子
１０、１０’、１０’’…フローティングコネクター
１２…筐体
１２２…開口
１２４…位置合わせブロック
１４…電極
１６、１６’、１６’’…留め具
１６２…固定部
１６４…弾性部
１６６、１６６’…接触部
１６６２…凹溝
１６６４…ガイド構造
１６８…パドル
１８、１８’…フローティング部材
１８２…本体
１８４…電極溝
１８６、１８６’…突起
１８６２…ガイド斜面
１８８、１８８’…位置合わせ溝
１８８２…ガイド斜面
ＳＰ…収容空間
Ｆ…外力
【図１】
0003228255.tif 000003
【図２】
0003228255.tif 000004
【図３】
0003228255.tif 000005
【図４】
0003228255.tif 000006
【図５】
0003228255.tif 000007
【図６】
0003228255.tif 000008
【図７】
0003228255.tif 000009
【図８】
0003228255.tif 000010
【図９】
0003228255.tif 000011
【図１０】
0003228255.tif 000012
【図１１】
0003228255.tif 000013
【図１２】
0003228255.tif 000014